(57)【要約】【課題】防水板の設置、片付けに手間のかからない防水装置を提供する。【解決手段】建物などの入口の両側壁面に対向させて立設する一対の支柱２と、起立時には前記支柱２と当接し、伏したときには水平となる起伏自在とした防水板３とを配設する。更に、前記防水板３の下方に防水板３を起伏させるスクリュージャッキ４を配設する。そして防水板３を伏した状態が床面と同一レベルとなるように設置し、通常時には通行可能とし、増水時には着脱自在のハンドル３２をスクリュージャッキ４の駆動軸３４に嵌め込み、ハンドル３２を回転させて防水板３を起立させて支柱２に配設した水密ゴム１４、１６に当接して水の浸入を阻止する。【選択図】　図３
2004092270.tif 000002
【特許請求の範囲】
【請求項１】
建物などの入口の両側壁面に対向させて立設する一対の支柱と、起立時には前記支柱と可撓性部材を介在して当接し、伏したときには水平となる起伏自在とした防水板と、該防水板の下位に前記防水板を起伏させるスクリュージャッキと、該スクリュージャッキを操作する着脱自在のハンドルとを備えたことを特徴とする防水装置。
【発明の詳細な説明】
【０００１】
【発明の属する技術分野】
本発明は、台風や集中豪雨などによる増水が発生した際に、地下道や建物などの入口から水が浸入するのを防止する防水装置に関する。
【０００２】
【従来の技術】
台風や集中豪雨などによって増水が発生すると、地下道や建物などの入口の床面を水位が超えるような場合があり、その際には通路や屋内が浸水するなどして甚大な被害を及ぼすおそれがある。そこで、このような事態に備えて、地下道や建物などの入口に浸水防止用の防水装置を設置することが従来より行われている。図５は上記従来の防水装置の一例であって、建物などの入口の壁面に溝付支柱１０１を、床面に溝付きの底板１０２を配設して、壁面から床面にわたって略Ｕ字形状の溝１０３を設けておき、増水時には防水板１０４を矢印方向から前記溝１０３内に差し込んだ後、防水板１０４の周囲に備えた固定金具１０５にて固定するようにしている。そして、前記固定金具１０５による固定操作に伴い、防水板周囲に固着した水密ゴム１０６、１０７を押圧して水密を図り、増水による水の進入をせき止めて浸水を防止するようにしている。
【０００３】
【発明が解決しようとする課題】
しかしながら、上記従来例では、普段、防水板を近くに保管しておく必要があり、また、増水時には防水板を取り付け、不要になると取り外しを行わねばならず、大変手間のかかるものであった。
【０００４】
本発明は上記の点に鑑み、防水板の設置、片付けに手間のかからない防水装置を提供することを課題とする。
【０００５】
【課題を解決するための手段】
上記の課題を解決するために、本発明の防水装置にあっては、建物などの入口の両側壁面に対向させて立設する一対の支柱と、起立時には前記支柱と可撓性部材を介在して当接し、伏したときには水平となる起伏自在とした防水板と、該防水板の下位に前記防水板を起伏させるスクリュージャッキと、該スクリュージャッキを操作する着脱自在のハンドルとを備えたことを特徴としている。
【０００６】
【発明の実施の形態】
本発明に係わる防水装置によれば、防水装置の一対の支柱を建物などの入口両側に位置させると共に、スクリュージャッキ等を掘り起こした床内部に収納し、起伏自在とした防水板を床面と一致するように設置する。そして、増水時には、ハンドルをスクリュージャッキの操作軸に挿入し、ハンドルを回転操作することによって防水板を起立させて入口両側に配した支柱にゴムなどの可撓性部材を介在して当接させ、建物などへの水の浸入を阻止する。
【０００７】
また、建物内への水の浸入の可能性がなくなれば、ハンドルをスクリュージャッキの操作軸に挿入し、ハンドルを逆回転することによってスクリュージャッキを動作させて防水板を伏せる方向に回動させ、床面レベルと一致させる。防水板が床面レベルとなれば、この防水板の上を通って建物内への通行が自由となる。
【０００８】
このように、上記防水装置の防水板は、通常時には伏せた状態として通行自在の床面として利用し、増水時にはスクリュージャッキの操作によって防水板を起立させて水の浸入を阻止するものであって、従来のような防水板の設置、片付けなどの手間もいらず、便利なものとなる。
【０００９】
【実施例】
以下、本発明の実施例を図面に基づいて説明する。
【００１０】
図中の１は、建物などの入口に設置して内部への水の浸入を阻止する防水装置であって、入口の両側壁面に対向させて立設する一対の支柱２と、起立時には前記支柱２に当接して水の浸入を阻止する起伏自在とした防水板３と、該防水板３を起伏動作させるスクリュージャッキ４とを主な構成としている。
【００１１】
前記防水板３は、支持台５上に一対配設した軸受６に回転自在に支持された軸体７に固着したアングル材８に取り付けられると共に、補強材９によって補強され、軸体７の回動に伴って起伏自在としている。そして、防水板３を伏したときに、防水板３の先端に取り付けた係合片１０を外枠１１に固定した係止片１２に係止する一方、防水板３の両側縁を外枠１１に固着した係止片１３に係止し、水平に維持して床面としている。
【００１２】
また、防水板３を起立させたときには、支柱２に縦方向に配設した可撓性部材である水密ゴム１４に当接させると共に、一対の支柱２の下部間に掛け渡したアングル材１５に配設した水密ゴム１６に当接させて水の浸入を阻止する。また、軸体７に固着したアングル材８がストッパー１７に当接するようにして防水板３の必要以上の回動を阻止している。
【００１３】
なお、防水板３を起立させるときには、蝶番１８で開閉自在としたカバー体１９を先に開いて防水板３の起立を邪魔しないようにし、また、防水板３を伏したときには、カバー体１９を閉じて軸体７に固定したアングル材８上に係止させて通行の邪魔にならないようにしている。
【００１４】
スクリュージャッキ４のギヤボックス２０は、支持台２１に取り付けた支持部材２２に軸体２３により回動自在に軸支され、ギヤボックス２０内のウォームギヤを介して取り付けたスクリューロッド２４を雌螺子２５を備えた外筒２６に螺入し、その外筒２６の先端材２７を防水板３を取り付けた軸体７に固着した回動片２８に軸体２９を介して連結している。また、スクリュージャッキ４のギヤボックス２０付近は外枠３０で囲い、上部をカバー体３１で覆っている。
【００１５】
３２はスクリュージャッキ４を操作する着脱自在のハンドルであって、該ハンドル３２をカバー体３１に穿設したハンドル挿入孔３３よりを挿入し、ギヤボックス２０に備えた操作軸３４に嵌め込んで回転させると、スクリューロッド２４が回転し、該スクリューロッド２４が雌螺子２５に出入りすることによって外筒２６を前後移動させて外筒２６の先端材２７に連結した回動片２８を回動させ、その結果、軸体７が回動して防水板３を起伏させることができる。
【００１６】
また、防水装置１は、防水板３を床面と同一レベルとして設置され、防水板３より下部は地中に埋設されてコンクリートによって固定されるもので、このために周辺に適宜配設された補強材３５にアンカーボルト３６を取り付けている。
【００１７】
しかして、上記防水装置１を建物などの入口に設置するときには、一対の支柱２間の長さを入口幅と略同一長さとして装置を製作し、この支柱２を建物の入口両側に設置し、防水板３を伏した状態で床面と同一レベルとすると共に、防水板３より下方のスクリュージャッキ４等を地中に埋設し、図１に示すように、コンクリートＣにて固定する。
【００１８】
そして増水がない通常時には、防水板３は、図３の実線で示すように、伏した状態として通行可能としておく。そして増水があれば、備え付けのハンドル３２をハンドル挿入孔３３から挿入し、スクリュージャッキ４のギヤボックス２０の操作軸３４に嵌め込む。そして、カバー体１９を開いておいてからハンドル３２を回転させると、スクリューロッド２４が回転して雌螺子２５に入り込むことによって外筒２６を引き寄せ、外筒２６の先端材２７に連結した回動片２８を回動させると共に軸体７をも回動させることによって防水板３を起立させる。
【００１９】
起立した防水板３は、支柱２に沿って縦方向に配設した水密ゴム１４や支柱２の下部間の横方向に配設した水密ゴム１６に当接し、水の浸入を堰き止める。
【００２０】
このように、上記防水装置１は、通常時には防水板３を伏して床面と同一レベルとして通行可能とし、増水時にはスクリュージャッキ４の操作によって防水板３を起立させて水の浸入を阻止できるものであって、防水板の設置、片付けに手間が要らない。
【００２１】
【発明の効果】
以上のように本発明に係る防水装置によれば、建物などの入口の両側壁面に対向させて立設する一対の支柱と、起立時には前記支柱と可撓性部材を介在して当接し、伏したときには水平となる起伏自在とした防水板と、該防水板の下位に前記防水板を起伏させるスクリュージャッキと、該スクリュージャッキを操作する着脱自在のハンドルとを備えたので、防水板を伏した状態が床面と同一レベルとなるように設置して通常時には通行可能とし、増水時にはスクリュージャッキの操作によって防水板を起立させて水の進入を阻止でき、防水板の設置、片付けに手間も要らない。
【図面の簡単な説明】
【図１】本発明に係る防水装置の一実施例を示す一部切り欠き正面図である。
【図２】図１の一部切り欠き平面図である。
【図３】図２のＡ−Ａ拡大断面図である。
【図４】図２のＢ−Ｂ拡大断面図である。
【図５】従来の防水装置を示す図である。
【符号の説明】
１…防水装置　　　　　　　　　　　　２…支柱
３…防水板　　　　　　　　　　　　　４…スクリュージャッキ
６…軸受　　　　　　　　　　　　　　７…軸体
１４、１６…水密ゴム（可撓性部材）　１９…カバー体
２０…ギヤボックス　　　　　　　　　２４…スクリューロッド
２５…雌螺子　　　　　　　　　　　　２６…外筒
２７…先端材　　　　　　　　　　　　２８…回動片
３４…操作軸　　　　　　　　　　　　３２…ハンドル
【図１】
2004092270.tif 000003
【図２】
2004092270.tif 000004
【図３】
2004092270.tif 000005
【図４】
2004092270.tif 000006
【図５】
2004092270.tif 000007